(57)【要約】【課題】情報が流出する可能性を低減する真贋判定システム及びサーバを提供する。【解決手段】真贋判定システム１は、対象物７０に付される情報に基づいて、対象物７０の真贋判定を可能にするシステムである。真贋判定システム１においては、サーバ３０、暈し装置４０、超解像装置５０、及び超解像装置６０が、ネットワーク２を介して互いに接続されている。暈し装置４０のＣＰＵ４０１は、対象物７０に付される情報に対応する第一画像８０のデータである第一画像データを、第一画像８０が暈された暈し画像８５のデータである暈し画像データに変換する。複数の装置であるサーバ３０、暈し装置４０、超解像装置５０、及び超解像装置６０相互間の通信において、ＣＰＵ４０１によって変換された暈し画像データがネットワーク２を介して送受信され、対象物７０の真贋判定が行われる。【選択図】図１
2017059970.tif 000002
【特許請求の範囲】
【請求項１】
第一装置を含む複数の装置がネットワークを介して接続され、対象物に付される情報に基づいて、前記対象物の真贋判定を可能にする真贋判定システムであって、
前記第一装置は、前記情報に対応する第一画像のデータである第一画像データを、前記第一画像が暈された暈し画像のデータである暈し画像データに変換する第一変換手段を備え、
前記複数の装置相互間の通信において、前記第一変換手段によって変換された前記暈し画像データが前記ネットワークを介して送受信され、前記対象物の真贋判定を可能にする真贋判定処理に用いられることを特徴とする真贋判定システム。
【請求項２】
前記情報は、対象物に付される記憶媒体に記憶された情報であることを特徴とする請求項１に記載の真贋判定システム。
【請求項３】
前記複数の装置には、サーバと第二装置とが含まれ、
前記第一装置は、
前記第一変換手段によって変換された前記暈し画像データを、前記サーバに送信する第一送信手段を備え、
前記サーバは、
前記第一送信手段によって送信された前記暈し画像データを記憶部に記憶する記憶制御手段と、
前記記憶制御手段によって前記記憶部に記憶された前記暈し画像データを前記第二装置に送信する第二送信手段と
を備え、
前記第二装置は、
前記第二送信手段によって送信された前記暈し画像データに対して、フーリエ変換を含む超解像処理を行い、前記超解像処理後の第二画像のデータである第二画像データを作成する作成手段と、
読取装置によって前記記憶媒体から読み取られた前記情報に対応する前記第一画像と、前記作成手段によって作成された第二画像データに基づく前記第二画像とを用いて、前記真贋判定処理を実行する真贋判定手段と
を備えたことを特徴とする請求項２に記載の真贋判定システム。
【請求項４】
前記記憶媒体には、リンクデータがさらに記憶され、
前記第一送信手段は、前記暈し画像データと前記リンクデータとを前記サーバに送信し、
前記記憶制御手段は、前記第一送信手段によって送信された前記暈し画像データと前記リンクデータとを対応付けて前記記憶部に記憶し、
前記第二送信手段は、前記記憶部に記憶された前記暈し画像データのうち、前記第二装置から送信される前記リンクデータと同じ前記リンクデータに対応付けられた前記暈し画像データを前記第二装置に送信し、
前記第二装置は、前記読取装置よって前記記憶媒体から読み取られた前記リンクデータを、前記サーバに送信するリンクデータ送信手段を備え、
前記作成手段は、前記リンクデータ送信手段によって前記サーバに送信された前記リンクデータに応じて前記第二送信手段によって送信された前記暈し画像データに対して前記超解像処理を行い、前記第二画像データを作成することを特徴とする請求項３に記載の真贋判定システム。
【請求項５】
前記作成手段は、前記暈し画像データに対して前記超解像処理を複数回行い、前記第二画像データを作成することを特徴とする請求項３又は４に記載の真贋判定システム。
【請求項６】
第一装置、サーバ、及び第二装置がネットワークを介して接続され、対象物に付される情報に基づいて、前記対象物の真贋判定を可能にする真贋判定システムに含まれる前記サーバであって、
前記第一装置において、前記情報に対応する第一画像のデータである第一画像データが、前記第一画像が暈された暈し画像のデータである暈し画像データに変換され、前記サーバに送信される前記暈し画像データを、前記サーバにおいて記憶部に記憶する記憶制御手段と、
前記暈し画像データを用いて前記対象物の真贋判定を可能にする真贋判定処理を行う第二装置に、前記記憶制御手段によって前記記憶部に記憶された前記暈し画像データを送信する送信手段と
を備えたことを特徴とするサーバ。
【発明の詳細な説明】
【技術分野】
【０００１】
本発明は、対象物の真贋判定を可能にする真贋判定システム及びサーバに関する。
【背景技術】
【０００２】
従来、対象物の真贋判定を可能にする真贋判定システムが知られている。例えば、特許文献１に記載の真贋判定システムは、情報端末とログ管理サーバとを備えている。情報端末は、カメラで撮影された電子透かしのコード情報を読み取る。情報端末は読み取ったコード情報を読取ログデータとして、ネットワークを介してログ管理サーバに送信する。ログ管理サーバは、読取ログデータをデータベースに蓄積する。ログ管理サーバは、データベースに蓄積した読取ログデータを解析し、本来の出荷ルートではありえないコード及び異常に多く検出されるコードを追記した警告リストを作成する。ログ管理サーバは、ネットワークを介して情報端末に警告リストを送信する。情報端末は、警告リストを表示部に表示する。
【先行技術文献】
【特許文献】
【０００３】
【特許文献１】特開２０１５−２２３１４号公報
【発明の概要】
【発明が解決しようとする課題】
【０００４】
上記従来の真贋判定システムにおいては、ネットワークを介して、読取ログデータと警告リストが送受信される。このため、ネットワーク上の通信経路において読取ログデータと警告リストが他者に読み取られ、読取ログデータと警告リストに含まれる情報が流出する可能性がある。
【０００５】
本発明の目的は、情報が流出する可能性を低減する真贋判定システム及びサーバを提供することである。
【課題を解決するための手段】
【０００６】
本発明の第一の態様に係る真贋判定システムは、第一装置を含む複数の装置がネットワークを介して接続され、対象物に付される情報に基づいて、前記対象物の真贋判定を可能にする真贋判定システムであって、前記第一装置は、前記情報に対応する第一画像のデータである第一画像データを、前記第一画像が暈された暈し画像のデータである暈し画像データに変換する第一変換手段を備え、前記複数の装置相互間の通信において、前記第一変換手段によって変換された前記暈し画像データが前記ネットワークを介して送受信され、前記対象物の真贋判定を可能にする真贋判定処理に用いられる。
【０００７】
この場合、ネットワークを介して送受信されるのは、第一画像が暈された暈し画像の暈し画像データである。このため、仮に他者によって暈し画像データが読み取られた場合でも、他者は第一画像を確認することができない。よって、第一画像に含まれる情報が流出する可能性を低減できる。
【０００８】
前記真贋判定システムにおいて、前記情報は、対象物に付される記憶媒体に記憶された情報であってもよい。この場合、記憶媒体に記憶された情報に基づいて真贋判定を可能にすることができる。
【０００９】
前記真贋判定システムにおいて、前記複数の装置には、サーバと第二装置とが含まれ、前記第一装置は、前記第一変換手段によって変換された前記暈し画像データを、前記サーバに送信する第一送信手段を備え、前記サーバは、前記第一送信手段によって送信された前記暈し画像データを記憶部に記憶する記憶制御手段と、前記記憶制御手段によって前記記憶部に記憶された前記暈し画像データを前記第二装置に送信する第二送信手段とを備え、前記第二装置は、前記第二送信手段によって送信された前記暈し画像データに対して、フーリエ変換を含む超解像処理を行い、前記超解像処理後の第二画像のデータである第二画像データを作成する作成手段と、読取装置によって前記記憶媒体から読み取られた前記情報に対応する前記第一画像と、前記作成手段によって作成された第二画像データに基づく前記第二画像とを用いて、前記真贋判定処理を実行する真贋判定手段とを備えてもよい。
【００１０】
この場合、暈し画像データが、サーバ、第一装置、及び第二装置相互間で送受信される。よって、サーバ、第一装置、及び第二装置相互間で送受信される暈し画像データが他者によって読み取られた場合でも、他者は第一画像を確認することができない。よって、第一画像に含まれる情報が流出する可能性を低減できる。
【００１１】
前記真贋判定システムにおいて、前記記憶媒体には、リンクデータがさらに記憶され、前記第一送信手段は、前記暈し画像データと前記リンクデータとを前記サーバに送信し、前記記憶制御手段は、前記第一送信手段によって送信された前記暈し画像データと前記リンクデータとを対応付けて前記記憶部に記憶し、前記第二送信手段は、前記記憶部に記憶された前記暈し画像データのうち、前記第二装置から送信される前記リンクデータと同じ前記リンクデータに対応付けられた前記暈し画像データを前記第二装置に送信し、前記第二装置は、前記読取装置よって前記記憶媒体から読み取られた前記リンクデータを、前記サーバに送信するリンクデータ送信手段を備え、前記作成手段は、前記リンクデータ送信手段によって前記サーバに送信された前記リンクデータに応じて前記第二送信手段によって送信された前記暈し画像データに対して前記超解像処理を行い、前記第二画像データを作成してもよい。
【００１２】
この場合、リンクデータが用いられない場合に比べて、より確実に、第一画像に対応する暈し画像データをサーバから第二装置に送信することができる。よって、真贋判定の精度が向上する。
【００１３】
前記真贋判定システムにおいて、前記作成手段は、前記暈し画像データに対して前記超解像処理を複数回行い、前記第二画像データを作成してもよい。この場合、超解像処理が複数回行われるので、１回だけ超解像処理が行われる場合に比べて、第二画像がより鮮明になる。よって、真贋判定の精度が向上する。
【００１４】
本発明の第二の態様に係るサーバは、第一装置、サーバ、及び第二装置がネットワークを介して接続され、対象物に付される情報に基づいて、前記対象物の真贋判定を可能にする真贋判定システムに含まれる前記サーバであって、前記第一装置において、前記情報に対応する第一画像のデータである第一画像データが、前記第一画像が暈された暈し画像のデータである暈し画像データに変換され、前記サーバに送信される前記暈し画像データを、前記サーバにおいて記憶部に記憶する記憶制御手段と、前記暈し画像データを用いて前記対象物の真贋判定を可能にする真贋判定処理を行う第二装置に、前記記憶制御手段によって前記記憶部に記憶された前記暈し画像データを送信する送信手段とを備えている。
【００１５】
この場合、ネットワークを介して送受信されるのは、第一画像が暈された暈し画像の暈し画像データである。このため、仮に他者によって暈し画像データが読み取られた場合でも、他者は第一画像を確認することができない。よって、第一画像に含まれる情報が流出する可能性を低減できる。
【図面の簡単な説明】
【００１６】
【図１】真贋判定システム１の構成とデータの流れを示す図である。
【図２】対応データテーブル９５のデータ構成図である。
【図３】暈し装置処理を示すフローチャートである。
【図４】サーバ処理を示すフローチャートである。
【図５】図２に示す状態から更新された対応データテーブル９５のデータ構成図である。
【図６】超解像装置処理を示すフローチャートである。
【発明を実施するための形態】
【００１７】
以下、本発明を具現化した真贋判定システムについて、図面を参照して説明する。まず、図１を参照し、真贋判定システム１の概要について説明する。真贋判定システム１は、対象物７０に付される情報に基づいて、対象物７０の真贋判定を可能にするシステムである。本実施形態では、一例として、対象物７０は鞄であるとするが、他の製品でもよい。真贋判定システム１は、ネットワーク２、データセンター３、第一拠点４、第二拠点５、及び第三拠点６を含む。データセンター３には、サーバ３０が設けられている。第一拠点４には、暈し装置４０、専用ライタ４１、及び作業用ＰＣ４２が設けられている。暈し装置４０、専用ライタ４１、及び作業用ＰＣ４２は、互いに電気的に接続されている。第二拠点５には、超解像装置５０、専用リーダ５１、及び作業用ＰＣ５２が設けられている。超解像装置５０、専用リーダ５１、及び作業用ＰＣ５２は，互いに電気的に接続されている。第三拠点６には、超解像装置６０、専用リーダ６１、及び作業用ＰＣ６２が設けられている。超解像装置６０、専用リーダ６１、及び作業用ＰＣ６２は、互いに電気的に接続されている。
【００１８】
暈し装置４０、超解像装置５０、及び超解像装置６０は、夫々、ネットワーク２を介してサーバ３０と通信可能である。真贋判定システム１においては、後述する暈し画像８５（図１及び図６参照）の暈し画像データが互いに送受信されて、対象物７０の真贋判定が実施される。
【００１９】
第一拠点４は、例えば、対象物７０の製造業者の拠点である。対象物７０には、ＲＦＩＤ（Ｒａｄｉｏ  Ｆｒｅｑｕｅｎｃｙ  Ｉｄｅｎｔｉｆｉｅｒ）タグ７１が埋め込まれている。対象物７０は製造業者によって製造され、第一拠点４から出荷される（矢印７１１参照）。第二拠点５は流通管理者の拠点であり、例えば、倉庫、輸出港、輸入港、空港などである。第二拠点５を通過する際に、ＲＦＩＤタグ７１に記憶された情報に基づいて、対象物７０の真贋判定が実施される。第二拠点において真正品であると判定された対象物７０は、第三拠点６に納入される（矢印７１２参照）。第三拠点６は、販売業者の拠点であり、例えば、店舗である。第三拠点６においては、ＲＦＩＤタグ７１に記憶された情報に基づいて、対象物７０の真贋判定が実施される。真贋判定によって真正品と判定された対象物７０は、販売業者の顧客に販売される。
【００２０】
サーバ３０の電気的構成について説明する。サーバ３０には、ＣＰＵ３０１、ハードディスクドライブ（以下、ＨＤＤ）３０２、及びＲＡＭ３０３が設けられている。ＣＰＵ３０１は、サーバ３０の制御を行う。ＲＡＭ３０３は、各種データを一時的に記憶する。ＨＤＤ３０２には、後述するサーバ処理（図４参照）等、ＣＰＵ３０１に各種の処理を実行させるためのプログラムが記憶されている。また、ＨＤＤ３０２には、後述する対応データテーブル９５（図２参照）が記憶されている。
【００２１】
暈し装置４０の電気的構成について説明する。暈し装置４０には、ＣＰＵ４０１、ＨＤＤ４０２、及びＲＡＭ４０３が設けられている。ＣＰＵ４０１は、暈し装置４０の制御を行う。ＲＡＭ４０３は、各種データを一時的に記憶する。ＨＤＤ４０２には、後述する暈し装置処理（図３参照）等、ＣＰＵ４０１に各種の処理を実行させるためのプログラムが記憶されている。
【００２２】
超解像装置５０の電気的構成について説明する。超解像装置５０には、ＣＰＵ５０１、ＨＤＤ５０２、及びＲＡＭ５０３が設けられている。ＣＰＵ５０１は、超解像装置５０の制御を行う。ＲＡＭ５０３は、各種データを一時的に記憶する。ＨＤＤ５０２には、後述する超解像装置処理（図６参照）等、ＣＰＵ５０１に各種の処理を実行させるためのプログラムが記憶されている。
【００２３】
超解像装置６０の電気的構成について説明する。超解像装置６０には、ＣＰＵ６０１、ＨＤＤ６０２、及びＲＡＭ６０３が設けられている。ＣＰＵ６０１は、超解像装置６０の制御を行う。ＲＡＭ６０３は、各種データを一時的に記憶する。ＨＤＤ６０２には、後述する超解像処理（図６参照）等、ＣＰＵ６０１に各種の処理を実行させるためのプログラムが記憶されている。
【００２４】
図２を参照し、対応データテーブル９５について説明する。対応データテーブル９５は、サーバ３０のＨＤＤ３０２に記憶されている。対応データテーブル９５には、リンクデータと、暈し画像８１〜８４の暈し画像データとが対応付けられている。暈し画像８１〜８４は、暈し装置４０によるＳ１２（図３参照、後述）の処理によって、第一画像データが暈されて生成される。本実施形態では、一例として、第一画像データには、対象物のロットナンバーの数字が含まれるとする。図２に示す暈し画像８１〜８４は、夫々、ロットナンバー「５５−３５」、「２３−８２」、「１５−９６」、及び「９１−７５」が含まれた第一画像が暈された画像である。リンクデータは、暈し画像データに対応付けられる情報である。本実施形態では一例として、リンクデータは、文字列であるとする。詳細は後述するが、生成された暈し画像データとリンクデータとは、暈し装置４０によってサーバ３０に送信され（図３のＳ１３参照）、サーバ３０によってＨＤＤ３０２に記憶される（図４のＳ２３参照）。
【００２５】
真贋判定システム１における処理について説明する。以下の説明においては、対象物７０（図１）の真贋判定を行う場合を例示しながら説明する。前述したように、対象物７０は、製造業者の拠点である第一拠点４において製造され、流通管理者の拠点である第二拠点５において真贋判定される。さらに、対象物７０は、販売業者の拠点である第三拠点６において真贋判定される。
【００２６】
まず、真贋判定の概要について説明する。図１に示すように、第一拠点４において対象物７０が製造され、ＲＦＩＤタグ７１が付される。第一拠点４の作業者は作業用ＰＣ４２を介して、専用ライタ４１と暈し装置４０とを操作する。作業用ＰＣ４２のＣＰＵ（図示せず）は、第一画像８０のデータである第一画像データと、リンクデータ「ｆｂｌｋ」を生成する。第一画像８０には、ロットナンバー「５８−２１」が含まれている。
【００２７】
作業用ＰＣ４２のＣＰＵは、専用ライタ４１を制御し、無線通信によって、第一画像８０の第一画像データと、リンクデータ「ｆｂｌｋ」とをＲＦＩＤタグ７１に記憶させる（矢印７０１）。また、作業用ＰＣ４２のＣＰＵは、第一画像８０の第一画像データと、リンクデータ「ｆｂｌｋ」とを暈し装置４０に送信する。暈し装置４０は、後述する暈し装置処理（図３参照）を実行し、第一画像データに基づいて暈し画像データを作成し（図３のＳ１２参照）、サーバ３０に送信する（矢印７０２、及び図３のＳ１３参照）。サーバ３０に送信された第一画像データとリンクデータとは、サーバ３０のＣＰＵ３０１によって対応データテーブル９５に記憶される（図４のＳ２３、及び図５参照）。
【００２８】
対象物７０は、第一拠点４から出荷され、流通管理者の拠点である第二拠点５に搬送される（矢印７１１）。第二拠点５の作業者は、作業用ＰＣ５２を介して、専用リーダ５１と超解像装置５０とを操作する。作業用ＰＣ５２のＣＰＵ（図示せず）は、専用リーダ５１を制御し、無線通信によって、ＲＦＩＤタグ７１から、第一画像８０の第一画像データとリンクデータ「ｆｂｌｋ」とを読み取る（矢印７０３参照）。作業用ＰＣ５２のＣＰＵは、読み取った第一画像８０とリンクデータ「ｆｂｌｋ」とを超解像装置５０に送信する。超解像装置５０のＣＰＵ５０１は、作業用ＰＣ５２から送信されたリンクデータ「ｆｂｌｋ」をサーバ３０に送信する（矢印７０４、図６のＳ３２参照）。
【００２９】
サーバ３０のＣＰＵ３０１は、対応データテーブル９５（図５参照）を参照し、超解像装置５０から送信されたリンクデータ「ｆｂｌｋ」と同じリンクデータ「ｆｂｌｋ」に対応付けられた暈し画像データを特定する（図４のＳ２４参照）。すなわち、暈し画像８５の暈し画像データが特定される。サーバ３０のＣＰＵ３０１は、特定した暈し画像８５の暈し画像データを超解像装置５０に送信する（矢印７０５、図４のＳ２５参照）。
【００３０】
超解像装置５０のＣＰＵ５０１は、サーバ３０から送信された暈し画像データに対して超解像処理を行い、第二画像データを作成する（図６のＳ３４参照）。超解像処理とは、フーリエ変換を含み、暈し画像８５を鮮明にする処理である。これによって、暈し画像８５が鮮明にされた第二画像８５１の第二画像データが得られる。言い換えると、暈し画像８５から、第一画像８０が復元された第二画像８５１が得られる。ＣＰＵ５０１は、専用リーダ５１によって読み取られた第一画像８０の第一画像データと、作成した第二画像８５１の第二画像データとを用いて、真贋判定可能にする。真贋判定を可能にする方法の一例については、後述する。
【００３１】
真贋判定の結果、真正品であると判定された対象物７０は、販売業者の拠点である第三拠点６に納入される（矢印７１２参照）。第三拠点６においては、第二拠点５の場合と同様に真贋判定が行われる。すなわち、第三拠点６の作業者は、作業用ＰＣ６２を介して、専用リーダ６１と超解像装置６０とを操作する。作業用ＰＣ５２のＣＰＵ（図示せず）は、専用リーダ６１を制御し、無線通信によって、ＲＦＩＤタグ７１から、第一画像８０の第一画像データとリンクデータ「ｆｂｌｋ」とを読み取る（矢印７０６参照）。作業用ＰＣ６２のＣＰＵは、読み取った第一画像８０とリンクデータ「ｆｂｌｋ」とを超解像装置６０に送信する。超解像装置６０のＣＰＵ６０１は、作業用ＰＣ６２から送信されたリンクデータ「ｆｂｌｋ」をサーバ３０に送信する（矢印７０７、及び図６のＳ３２参照）。
【００３２】
サーバ３０のＣＰＵ３０１は、対応データテーブル９５（図５参照）を参照し、超解像装置６０から送信されたリンクデータ「ｆｂｌｋ」と同じリンクデータ「ｆｂｌｋ」に対応付けられた暈し画像データを特定する（図４のＳ２４参照）。すなわち、暈し画像８５の暈し画像データが特定される。サーバ３０のＣＰＵ３０１は、特定した暈し画像８５の暈し画像データを超解像装置６０に送信する（矢印７０８、図４のＳ２５参照）。
【００３３】
超解像装置６０のＣＰＵ６０１は、サーバ３０から送信された暈し画像データに対して超解像処理を行い、第二画像データを作成する（図６のＳ３４参照）。これによって、暈し画像８５が鮮明にされた第二画像８５１の第二画像データが得られる。ＣＰＵ６０１は、専用リーダ６１によって読み取られた第一画像８０の第一画像データと、作成した第二画像８５１の第二画像データとを用いて、真贋判定可能にする。
【００３４】
図３〜図６を参照し、真贋判定システム１において実行される処理をより詳細に説明する。まず、図３を参照し、暈し装置４０のＣＰＵ４０１によって実行される暈し装置処理について説明する。作業者によって作業用ＰＣ４２が操作され、暈し装置処理を開始する指示が入力されると、ＣＰＵ４０１は、ＨＤＤ４０２から暈し装置処理のプログラムを読み出す。ＣＰＵ４０１は、読み出したプログラムをＲＡＭ４０３に展開し、暈し装置処理を実行する。
【００３５】
暈し装置処理においては、まず、第一画像データ及びリンクデータが取得されたか否かが判断される（Ｓ１１）。前述したように、第一画像データとリンクデータとは、作業用ＰＣ４２によって暈し装置４０に送信される。暈し装置４０に送信される第一画像データとリンクデータとは、専用ライタ４１によってＲＦＩＤタグ７１に記憶された情報（図１の矢印７０１参照）と同じである。
【００３６】
第一画像データとリンクデータとが取得されていない場合（Ｓ１１：ＮＯ）、ＣＰＵ４０１は処理をＳ１１に戻す。第一画像データとリンクデータとが取得された場合（Ｓ１１：ＹＥＳ）、取得された第一画像データが、暈し画像データに変換される（Ｓ１２）。これによって、第一画像８０（図１参照）が暈された暈し画像８５（図１参照）の暈し画像データが作成される。次いで、Ｓ１２において作成された暈し画像データと、Ｓ１１において取得されたリンクデータ「ｆｂｌｋ」とが、サーバ３０に送信される（Ｓ１３、及び図１の矢印７０２参照）。次いで、ＣＰＵ４０１は、処理をＳ１１に戻す。
【００３７】
図４を参照し、サーバ３０によるサーバ処理について説明する。サーバ処理を実行する指示がサーバ３０に入力されると、ＣＰＵ３０１は、ＨＤＤ３０２からサーバ処理のプログラムを読み出す。ＣＰＵ３０１は、読み出したプログラムをＲＡＭ３０３に展開し、サーバ処理を実行する。
【００３８】
サーバ処理では、まず、Ｓ１３（図３参照）において送信された暈し画像データとリンクデータ（図１の矢印７０２参照）とが取得されたか否かが判断される（Ｓ２１）。暈し画像データとリンクデータとが取得されていない場合（Ｓ２１：ＮＯ）、超解像装置５０又は超解像装置６０のＳ３２（図６参照、後述）によって送信されるリンクデータ（図１の矢印７０４，７０７参照）が受信されたか否かが判断される（Ｓ２２）。リンクデータが受信されていない場合（Ｓ２２：ＮＯ）、ＣＰＵ３０１は処理をＳ２１に戻す。
【００３９】
Ｓ１３（図３参照）において送信された暈し画像データとリンクデータとが取得された場合（Ｓ２１：ＹＥＳ）、取得された暈し画像データとリンクデータとが対応付けられ、ＨＤＤ３０２に記憶される（Ｓ２３）。これによって、図３に示す対応データテーブル９５が、図５に示す対応データテーブル９５のように更新される。すなわち、リンクデータ「ｆｂｌｋ」と、暈し画像８５の暈し画像データとが、対応データテーブル９５に記憶される。ＣＰＵ３０１は処理をＳ２１に戻す。
【００４０】
超解像装置５０又は超解像装置６０から送信されるリンクデータ（図１の矢印７０４，７０７参照）が受信された場合（Ｓ２２：ＹＥＳ）、ＨＤＤ３０２に記憶された暈し画像データのうち、超解像装置５０又は超解像装置６０から送信されたリンクデータと同じリンクデータに対応付けられた暈し画像データが特定される（Ｓ２４）。リンクデータ「ｆｂｌｋ」が超解像装置５０又は超解像装置６０から送信された場合（図１の矢印７０４，７０７参照）、対応データテーブル９５（図５参照）においてリンクデータ「ｆｂｌｋ」に対応付けられた暈し画像８５の暈し画像データが特定される。
【００４１】
次いで、Ｓ２４において特定された暈し画像データが超解像装置５０又は超解像装置６０に送信される（Ｓ２５）。なお、Ｓ２２において取得されたリンクデータが、超解像装置５０から送信されたデータである場合（図１の矢印７０４参照）、暈し画像データは超解像装置５０に送信される（図１の矢印７０５参照）。Ｓ２２において取得されたリンクデータが、超解像装置６０から送信されたデータである場合（図１の矢印７０７参照）、暈し画像データは超解像装置６０に送信される（図１の矢印７０８参照）。次いで、ＣＰＵ３０１は処理をＳ２１に戻す。
【００４２】
図６を参照し、超解像装置５０，６０による超解像装置処理について説明する。以下の説明においては、超解像装置５０のＣＰＵ５０１によって実行される場合を説明するが、超解像装置６０のＣＰＵ６０１によって実行される場合も同様である。作業者によって作業用ＰＣ５２が操作され、超解像装置処理を開始する指示が入力されると、ＣＰＵ５０１は、ＨＤＤ５０２から超解像装置処理のプログラムを読み出す。ＣＰＵ５０１は、読み出したプログラムをＲＡＭ５０３に展開し、超解像装置処理を実行する。
【００４３】
図６に示すように、超解像装置処理においては、専用リーダ５１によってＲＦＩＤタグ７１から読み取られた第一画像データとリンクデータ（図１の矢印７０３参照）とが取得されたか否かが判断される（Ｓ３１）。第一画像データとリンクデータとが取得されていない場合（Ｓ３１：ＮＯ）、ＣＰＵ５０１はＳ３１の処理を繰り返す。第一画像データとリンクデータとが取得された場合（Ｓ３１：ＹＥＳ）、取得されたリンクデータ「ｆｂｌｋ」が、サーバ３０に送信される（Ｓ３２、図１の矢印７０４参照）。送信されたリンクデータは、サーバ３０のＣＰＵ３０１によって受信される（図４のＳ２２：ＹＥＳ）。
【００４４】
次いで、Ｓ３２によってサーバ３０に送信されたリンクデータに応じてＳ２５（図４参照）において送信された暈し画像データ（図１の矢印７０５参照）が取得されたか否かが判断される（Ｓ３３）。暈し画像データが取得されていない場合（Ｓ３３：ＮＯ）、ＣＰＵ５０１はＳ３３の処理を繰り返す。
【００４５】
暈し画像データが取得された場合（Ｓ３３：ＹＥＳ）、取得された暈し画像データに対して、超解像処理が実行され、超解像処理後の第二画像８５１（図１参照）の第二画像データが作成される（Ｓ３４）。
【００４６】
次いで、専用リーダ５１によってＲＦＩＤタグ７１から読み取られた情報に対応する第一画像８０と、Ｓ３４において作成された第二画像データに基づく第二画像８５１とが用いられ、真贋判定処理が実行される（Ｓ３５）。真贋判定処理は、対象物７０の真贋判定を可能にする処理である。
【００４７】
真贋判定処理は、作業者が対象物７０の真贋判定できる処理であればよく、その態様は限定されない。例えば、真贋判定処理は、第一画像８０と第二画像８５１とをディスプレイ（図示せず）に表示する処理であってもよい。この場合、作業者は、ディスプレイに表示された第一画像８０と第二画像８５１とを比較し、一致する場合は真正品であると判断し、一致しない場合は偽造品であると判断できる。また、真贋判定処理は、ＣＰＵ５０１が第一画像８０と第二画像８５１とを比較し、一致する場合は一致することを作業者に通知し、一致しない場合は一致しないことを作業者に通知する処理であってもよい。通知の方法は限定されず、例えば、ディスプレイに表示されてもよいし、ＬＥＤ（Ｌｉｇｈｔ  Ｅｍｉｔｔｉｎｇ  Ｄｉｏｄｅ）の点灯パターンによって通知されてもよい。本実施形態においては、第一画像８０に含まれる情報であるロットナンバー「５８−２１」と、第二画像８５１に含まれる情報である「５８−２１」とが同じであるため、真正品である。ＣＰＵ５０１は、Ｓ３５の処理を実行後、処理をＳ３１に戻す。
【００４８】
以上のように、第二拠点５において、真贋判定処理が実行される。第二拠点５における真贋判定の結果、真正品と判定された対象物７０は、第三拠点６に納入される（図１の矢印７１２参照）。前述したように、第三拠点６においては、超解像装置６０のＣＰＵ６０１によって超解像装置処理（図６参照）が実行される。すなわち、専用リーダ６１によってＲＦＩＤタグ７１から読み取られた第一画像データとリンクデータ（図１の矢印７０６参照）とが取得され（Ｓ３１：ＹＥＳ）、リンクデータがサーバ３０に送信される（Ｓ３２、図１の矢印７０７参照）。サーバ３０から送信される暈し画像データ（図１の矢印７０８参照）が取得され（Ｓ３３：ＹＥＳ）、超解像処理が実行される（Ｓ３４）。さらに、真贋判定処理が実行される（Ｓ３５）。第三拠点６における真贋判定の結果、真正品と判定された対象物７０は、顧客に販売される。
【００４９】
以上のように、本実施形態の真贋判定システム１における処理が実行される。本実施形態においては、複数の装置（本実施形態においては、サーバ３０、暈し装置４０、及び超解像装置５０，６０）相互間の通信において、Ｓ１２（図３参照）で変換された暈し画像データがネットワーク２を介して送受信される（図１の矢印７０２，７０５，７０８参照）。そして、暈し画像データが真贋判定処理に用いられる（図６のＳ３４及びＳ３５参照）。ネットワーク２を介して送受信されるのは、第一画像８０が暈された暈し画像８５の暈し画像データである。よって、仮にネットワーク２上を送受信される暈し画像８５の暈し画像データが他者によって読み取られた場合でも、他者は第一画像８０を確認することができない。よって、第一画像８０に含まれる情報（本実施形態ではロットナンバー「５８−２１」）が流出する可能性を低減できる。
【００５０】
また、本実施形態においては、対象物７０に付される記憶媒体であるＲＦＩＤタグ７１に、第一画像データ等の情報が記憶される。真贋判定システム１は、ＲＦＩＤタグ７１に記憶された情報に基づいて真贋判定を可能にすることができる。
【００５１】
また、ＲＦＩＤタグ７１には、第一画像データに加え、リンクデータが記憶される（図１の矢印７０１参照）。ＣＰＵ４０１によって、第一画像データに基づく暈し画像データとリンクデータとがサーバ３０に送信される（図３のＳ１３、図１の矢印７０２）。送信された暈し画像データとリンクデータとは、ＣＰＵ３０１によって対応付けられ、ＨＤＤ３０２に記憶される（図４のＳ２３）。専用リーダ５１，６１によってＲＦＩＤタグ７１から読み取られたリンクデータ（図１の矢印７０３，７０６参照）が、ＣＰＵ５０１，６０１によってサーバ３０に送信される（図６のＳ３２、図１の矢印７０４，７０７参照）。ＣＰＵ３０１によって、ＨＤＤ３０２に記憶された暈し画像データ（図５参照）のうち、超解像装置５０，６０から送信されるリンクデータ（図１の矢印７０４，７０７参照）と同じリンクデータに対応付けられた暈し画像データが、超解像装置５０，６０に送信される（図４のＳ２５、図１の矢印７０５，７０８参照）。ＣＰＵ５０１，６０１によって、Ｓ３２（図６）の処理においてサーバ３０に送信されたリンクデータに応じて送信された暈し画像データに対して超解像処理が行われ、第二画像データが作成される（図６のＳ３４参照）。そして、ＣＰＵ５０１，６０１によって真贋判定処理が実行される（Ｓ３５）。
なお、
【００５２】
このように、本実施形態においては、リンクデータが用いられて、処理が行われる。このため、ＲＦＩＤタグ７１に記憶されていない任意のデータがＣＰＵ５０１，６０１によって作成され、リンクデータの代わりに用いられる場合に比べて、ＨＤＤ３０２に記憶されているデータとＣＰＵ５０１，６０１によってサーバ３０に送信されるデータとが一致しやすい。よって、リンクデータが用いられない場合に比べて、より確実に、第一画像８０に対応する暈し画像データをサーバ３０から超解像装置５０，６０に送信することができる。よって、真贋判定の精度が向上する。
【００５３】
上記実施形態において、暈し装置４０は本発明の「第一装置」の一例である。ＲＦＩＤタグ７１は本発明の「記憶媒体」の一例である。超解像装置５０及び超解像装置６０は本発明の「第二装置」の一例である。Ｓ１２（図３参照）の処理を行うＣＰＵ４０１は本発明の「第一変換手段」の一例である。Ｓ１３（図３参照）の処理を行うＣＰＵ４０１は本発明の「第一送信手段」の一例である。Ｓ２３（図４参照）の処理を行うＣＰＵ３０１は本発明の「記憶制御手段」の一例である。Ｓ２５（図４参照）の処理を行うＣＰＵ３０１は本発明の「第二送信手段」の一例である。Ｓ３４（図６参照）の処理を行うＣＰＵ５０１，６０１は本発明の「作成手段」の一例である。Ｓ３５（図６参照）の処理を行うＣＰＵ５０１，６０１は本発明の「真贋判定手段」の一例である。
【００５４】
なお、本発明は上記の実施形態に限定されるものではなく、種々の変更が可能である。例えば、超解像処理（図６のＳ３４参照）は１回行われ、第二画像データが作成されていたが、これに限定されない。例えば、Ｓ３４において、暈し画像データに対して超解像処理が複数回行われ、第二画像データが作成されてもよい。この場合、超解像処理が複数回行われるので、１回だけ行われる場合に比べて、第二画像８５１がより鮮明になる。よって、真贋判定の精度が向上する。
【００５５】
また、サーバ３０、暈し装置４０、及び超解像装置５０，６０の相互間で、暈し画像データが送受信されればよく、リンクデータが送受信されなくてもよい。例えば、ＲＦＩＤタグ７１には、リンクデータが記憶されず、第一画像データのみが記憶されてもよい（図１の矢印７０１）。この場合、例えば、暈し装置４０のＣＰＵ４０１によって、第一画像データに基づいて暈し画像データが作成され（図３のＳ１２）、サーバ３０に送信される（図３のＳ１３）。サーバ３０のＣＰＵ３０１は、暈し画像データをＨＤＤ３０２に記憶する（図４のＳ２３）。超解像装置５０，６０のＣＰＵ５０１，６０１は、専用リーダ５１，６１によってＲＦＩＤタグ７１から読み取られた第一画像データに基づいて暈し画像データを作成する（図示せず）。ＣＰＵ５０１，６０１は、Ｓ３２（図６参照）において、リンクデータではなく、暈し画像データをサーバ３０に送信する。ＣＰＵ３０１は、Ｓ２４（図４参照）において、ＨＤＤ３０２に記憶された暈し画像データのうち、超解像装置５０，６０から送信された暈し画像データに一致する暈し画像データを特定する。ＣＰＵ３０１は、Ｓ２５（図４参照）において、特定した暈し画像データを超解像装置５０，６０に送信する。ＣＰＵ５０１，６０１は、受信した暈し画像データに対して超解像処理を行い（図６のＳ３４）、真贋判定処理を実行する（図６のＳ３５）。さらに、ＲＦＩＤタグ７１に記憶する第一画像８０を暈し画像としてもよい。ＲＦＩＤタグ７１に暈し画像が記憶されていれば、ＲＦＩＤタグ７１の暈し画像データが他者によって読み取られた場合でも、他者は、超解像装置がなければ第一画像８０を確認することができない。よって、第一画像８０が流出することをより確実に防止することができる。
【００５６】
この場合においても、暈し画像データが、サーバ３０、暈し装置４０、及び超解像装置５０，６０の相互間で送受信される。よって、サーバ３０、暈し装置４０、及び超解像装置５０，６０の相互間で送受信される暈し画像データが他者によって読み取られた場合でも、他者は第一画像８０を確認することができない。よって、第一画像８０に含まれる情報が流出する可能性を低減できる。
【００５７】
また、リンクデータ及び第一画像データ等の情報は、ＲＦＩＤタグ７１に記憶されていたが、これに限定されない。例えば、ＵＳＢ（Ｕｎｉｖｅｒｓａｌ  Ｓｅｒｉａｌ  Ｂｕｓ）メモリーなど、ＲＦＩＤタグ７１以外の記憶媒体であってもよい。また、リンクデータ及び第一画像データ等の情報は、対象物７０に付されればよく、記憶媒体に記憶されなくてもよい。例えば、バーコード及びＱＲコード（登録商標）等に情報が含められ、対象物７０に付されてもよい。
【００５８】
真贋判定システム１は、暈し装置４０を含む複数の装置がネットワーク２を介して接続され、対象物７０に付される情報に基づいて対象物の真贋判定を可能にするシステムであればよく、サーバ３０及び超解像装置５０，６０の一部が設けられなくてもよい。例えば、サーバ３０及び超解像装置５０が設けられなくてもよい。この場合、暈し画像データが、暈し装置４０から、ネットワーク２を介して超解像装置６０に送信され、真贋判定処理に用いられてもよい。
【００５９】
また、図３、図４、及び図６のフローチャートに示す処理など、真贋判定システム１において実行される処理の一部が、上記実施形態において処理を実行する装置とは異なる装置によって処理されてもよい。
【００６０】
また、ＣＰＵ５０１，６０１によって、対象物７０の真贋判定が実行される場合に、１つの対象物７０に対して実行されていたが、これに限定されない。例えば、輸送に使用される梱包材に複数の対象物７０が梱包されている場合がある。この場合、梱包材内の複数の対象物７０の夫々に付されたＲＦＩＤタグ７１から、一括して第一画像データとリンクデータとが読み取られ（図１の矢印７０３）、複数のリンクデータが一括してサーバ３０に送信されてもよい（図６のＳ３２、図１の矢印７０４参照）。そして、複数のリンクデータに対応する複数の第二画像データが一括してサーバ３０から超解像装置５０，６０に送信され（図４のＳ２５、及び図１の矢印７０５，７０８参照）、超解像装置５０，６０によって取得される（図６のＳ３３：ＹＥＳ）。そして、複数の第二画像データに対して超解像処理が実行される（図６のＳ３４及びＳ３５）。また、複数の対象物７０が梱包された梱包材に付されたＲＦＩＤタグに記憶された情報であって、梱包材に梱包された対象物７０についての情報が、補助情報として使用されてもよい。補助情報としては、例えば、製造場所、及び梱包された場所等である。この場合、補助情報が使用されない場合に比べ、より正確に真贋判定が行われる。また、補助情報は、ＲＦＩＤタグに記憶されなくてもよく、紙等に記載されてもよい。この場合、作業者は、紙等に記載された補助情報を参照して、真贋判定に利用することができる。
【符号の説明】
【００６１】
１    真贋判定システム
２    ネットワーク
３０    サーバ
４０    暈し装置
４１    専用ライタ
５０，６０    超解像装置
５１，６１    専用リーダ
７０    対象物
７１    ＲＦＩＤタグ
８０    第一画像
８１〜８５    暈し画像
９５    対応データテーブル
３０１，４０１，５０１，６０１    ＣＰＵ
３０２，４０２，５０２，６０２    ＨＤＤ
８５１    第二画像
【図１】
2017059970.tif 000003
【図２】
2017059970.tif 000004
【図３】
2017059970.tif 000005
【図４】
2017059970.tif 000006
【図５】
2017059970.tif 000007
【図６】
2017059970.tif 000008